(57)【要約】【課題】  源電圧が変動等しても適正な半導体レーザの出力を得ることを可能とする半導体レーザ駆動装置及び半導体レーザの基準電圧生成方法を提供する。【解決手段】  半導体レーザ出力を検出する検出手段であって、当該出力を検出したとき、検出信号を出力する検出手段と、前記検出手段から出力された検出信号から得られる値と、予め設定された基準値とを比較する比較手段と、前記比較手段による比較結果に基づいて前記半導体レーザ出力のフィードバック制御に用いられる基準電圧を生成する基準電圧生成手段と、を備える。【選択図】  図１
2007019397.tif 000002
【特許請求の範囲】
【請求項１】
半導体レーザ出力を検出する検出手段であって、当該出力を検出したとき、検出信号を出力する検出手段と、
前記検出手段から出力された検出信号から得られる値と、予め設定された基準値とを比較する比較手段と、
前記比較手段による比較結果に基づいて前記半導体レーザ出力のフィードバック制御に用いられる基準電圧を生成する基準電圧生成手段と、
を備えることを特徴とする半導体レーザ駆動装置。
【請求項２】
請求項１に記載の半導体レーザ駆動装置において、
前記比較手段による比較結果に基づいてパルス幅変調信号のデューティを決定し、当該デューティでパルス幅変調信号を出力するパルス幅変調信号出力手段を更に備え、
前記基準電圧生成手段は、前記出力されたパルス幅変調信号を平滑して前記基準電圧を生成することを特徴とする半導体レーザ駆動装置。
【請求項３】
請求項１または請求項２に記載の半導体レーザ駆動装置において、
前記検出手段から出力された検出信号をデジタル値に変換するアナログ／デジタル変換手段を更に備え、
前記比較手段は、前記変換されたデジタル値と前記基準値とを比較することを特徴とする半導体レーザ駆動装置。
【請求項４】
請求項１乃至３のいずれか１項に記載の半導体レーザ駆動装置において、
前記基準値は、可変であり、
現在のモードに応じた基準値を設定する基準値設定手段を更に備えることを特徴とする半導体レーザ駆動装置。
【請求項５】
請求項１乃至４のいずれか１項に記載の半導体レーザ駆動装置において、
前記生成された基準電圧を用いて前記半導体レーザ出力のフィードバック制御を行う制御手段を更に備えることを特徴とする半導体レーザ駆動装置。
【請求項６】
半導体レーザ出力を検出する検出工程であって、当該出力を検出したとき、検出信号を出力する検出工程と、
前記検出手段から出力された検出信号から得られる値と、予め設定された基準値とを比較する比較工程と、
前記比較手段による比較結果に基づいて前記半導体レーザ出力のフィードバック制御に用いられる基準電圧を生成する基準電圧生成工程と、
を備えることを特徴とする半導体レーザの基準電圧生成方法。
【発明の詳細な説明】
【技術分野】
【０００１】
本発明は、半導体レーザの駆動装置及び基準電圧生成方法の技術分野に関し、特に基準電圧を用いて半導体レーザの出力をフィードバック制御する半導体レーザ駆動装置及び基準電圧生成方法の技術分野に関する。
【背景技術】
【０００２】
従来、電子写真プロセスを用いた一般的な画像形成装置（例えば、レーザプリンタ、コピー機等）は、レーザビームを出力するレーザダイオード（ＬＤ：laser diode）を備えた半導体レーザ駆動装置が利用されている。例えば、帯電した感光体表面を、レーザダイオードから出力されたレーザビームにより露光走査することにより静電潜像が形成される。そして感光体表面にトナー等の粉体が付着することにより静電潜像が現像され、この現像された画像が用紙等の媒体に転写されることにより画像形成が行われる。
【０００３】
このレーザダイオードは、温度変化や経年変化等によって駆動電流に対するレーザビームの出力特性が変化するため、そのままでは安定した形成画像が得られない。
【０００４】
そこで、レーザダイオードの出力が変動しないように、従来は、例えば、特許文献１に記載の半導体レーザ駆動回路のように、レーザダイオードの出力をフォトダイオード（ＰＤ：Photo Diode）で検出して、この検出結果と、設定値をＤ／Ａ（Digital/Analog）変換器によりデジタル／アナログ変換した基準電圧とを比較し、この比較結果に応じてレーザダイオードに供給される駆動電流を制御する、所謂フィードバック制御が行われている。
【０００５】
この方法によれば、フォトダイオードによる検出結果が基準電圧と等しくなるように駆動電流が制御されるので、基準電圧に応じたレーザダイオードの出力を得ることが可能となっている。
【特許文献１】特開昭６２−１３０５７９号公報
【発明の開示】
【発明が解決しようとする課題】
【０００６】
しかしながら、上述した従来の方法は、電源電圧の変動が全く考慮されていないため、電源電圧が変動した場合には、Ｄ／Ａ変換器から出力される基準電圧が変動して、半導体レーザの出力が安定しないという問題があった。
【０００７】
この問題点について、図面を用いて更に説明する。図２は、従来の半導体レーザ駆動装置における基準電圧生成部分の概要構成の一例を示すブロック図である。
【０００８】
図２に示すように、従来は、例えば、ＰＷＭ（Pulse Width Modulation：パルス幅変調）変調器３１と、抵抗及びコンデンサ等からなるＤ／Ａ変換器としての平滑回路３２とを接続した構成となっている。なお、ＰＷＭ変調器３１はＡＳＩＣ（Application Specific Intelligent Circuit）に、平滑回路３２はＬＤ制御ＰＣＢ（Printed Circuit Board）に夫々実装されている。
【０００９】
ＰＷＭ変調器３１は予め設定されたデューティ値を入力して、当該デューティ値に相応したパルス幅で、かつ供給された電源電圧Ｖｃｃの振幅のＰＷＭ信号を出力する。そして、出力されたＰＷＭ信号を平滑回路３２で平滑することにより一定電圧の基準電圧が生成される。
【００１０】
ここで、電源に用いられるレギュレータの精度等を要因として、仕様の範囲内ではあっても±３％程度の出力電圧のばらつきが見られることがあり、例えば、３．３Ｖ電源の場合には、ＰＷＭ変調器３１に３．２０１〜３．３９９Ｖ程度の範囲で電源電圧Ｖｃｃが供給されることとなる。そして更に、ＰＷＭ信号の立ち上がり、立ち下がりの精度や、ＡＳＩＣにおけるＰＷＭ信号の出力バッファのばらつき等が積み重なることで、出力されるＰＷＭ信号のＨレベルの電圧が３．１０１〜３．３９９Ｖ程度、Ｌレベルの電圧が０〜０．１Ｖ程度の範囲でばらつくことがある。
【００１１】
基準電圧値の適正値を、例えば、１Ｖとするために、ＰＷＭ信号のデューティを３０．３％とした場合、ＰＷＭ信号の上記ばらつきにより、０．９４〜１．０６Ｖ程度の範囲で基準電圧が生成され、この結果、半導体レーザから出力される光ビームの像面パワーが±１〜３％程度ばらつく場合がある。
【００１２】
この上、更に別の要因が積み重なると、画像形成を行う上で、半導体レーザの出力のばらつきが無視できないレベルとなってしまうのである。
【００１３】
本発明は、以上の点に鑑みてなされたものであり、電源電圧が変動等しても基準電圧が変動することなく、適正な半導体レーザの出力を得ることを可能とする半導体レーザ駆動装置及び基準電圧生成方法を提供することを目的とする。
【課題を解決するための手段】
【００１４】
上記課題を解決するために、請求項１に記載の発明は、半導体レーザ出力を検出する検出手段であって、当該出力を検出したとき、検出信号を出力する検出手段と、前記検出手段から出力された検出信号から得られる値と、予め設定された基準値とを比較する比較手段と、前記比較手段による比較結果に基づいて前記半導体レーザ出力のフィードバック制御に用いられる基準電圧を生成する基準電圧生成手段と、を備えることを特徴とする。
【００１５】
この発明によれば、半導体レーザ出力を検出した検出信号から得られる値が基準値と等しくなるように基準電圧が生成されるので、この基準電圧を用いてフィードバック制御を行えば、電源電圧の変動等があった場合においても基準電圧が変動することなく、従って、常に適正な半導体レーザの出力を得ることが可能となる。
【００１６】
請求項２に記載の発明は、請求項１に記載の半導体レーザ駆動装置において、前記比較手段による比較結果に基づいてパルス幅変調信号のデューティを決定し、当該デューティでパルス幅変調信号を出力するパルス幅変調信号出力手段を更に備え、前記基準電圧生成手段は、前記出力されたパルス幅変調信号を平滑して前記基準電圧を生成することを特徴とする。
【００１７】
この発明によれば、半導体レーザ出力を検出した検出信号から得られる値が基準値と等しくなるように決定されたデューティでパルス幅変調信号が出力され、この信号が平滑されて基準電圧が生成されるので、この基準電圧を用いてフィードバック制御を行えば、電源電圧の変動等があった場合においても基準電圧が変動することなく、従って、常に適正な半導体レーザの出力を得ることが可能となる。
【００１８】
請求項３に記載の発明は、請求項１または請求項２に記載の半導体レーザ駆動装置において、前記検出手段から出力された検出信号をデジタル値に変換するアナログ／デジタル変換手段を更に備え、前記比較手段は、前記変換されたデジタル値と前記基準値とを比較することを特徴とする。
【００１９】
この発明によれば、検出信号のデジタル値と、基準値とを比較して基準電圧を生成するので、基準電圧を正確に生成することができ、基準電圧がより変動することなく、従って、常に適正な半導体レーザの出力を得ることが可能となる。
【００２０】
請求項４に記載の発明は、請求項１乃至３のいずれか１項に記載の半導体レーザ駆動装置において、前記基準値は、可変であり、現在のモードに応じた基準値を設定する基準値設定手段を更に備えることを特徴とする。
【００２１】
この発明によれば、複数モードに対応して基準値を変更することができるので、各モードに適した半導体レーザの出力を得ることが可能となる。
【００２２】
請求項５に記載の発明は、請求項１乃至４のいずれか１項に記載の半導体レーザ駆動装置において、前記生成された基準電圧を用いて前記半導体レーザ出力のフィードバック制御を行う制御手段を更に備えることを特徴とする。
【００２３】
この発明によれば、半導体レーザ出力を検出した検出信号から得られる値が基準値と等しくなるように生成された基準電圧を用いてフィードバック制御を行うので、電源電圧の変動等があった場合においても基準電圧が変動することなく、従って、常に適正な半導体レーザの出力を得ることが可能となる。
【００２４】
請求項６に記載の発明は、半導体レーザ出力を検出する検出工程であって、当該出力を検出したとき、検出信号を出力する検出工程と、前記検出手段から出力された検出信号から得られる値と、予め設定された基準値とを比較する比較工程と、前記比較手段による比較結果に基づいて前記半導体レーザ出力のフィードバック制御に用いられる基準電圧を生成する基準電圧生成工程と、を備えることを特徴とする。
【発明の効果】
【００２５】
本発明によれば、半導体レーザ出力を検出した検出信号から得られる値が基準値と等しくなるように基準電圧が生成されるので、この基準電圧を用いてフィードバック制御を行えば、電源電圧の変動等があった場合においても基準電圧が変動することなく、従って、常に適正な半導体レーザの出力を得ることが可能となる。
【発明を実施するための最良の形態】
【００２６】
以下、図面を参照して本発明の最良の実施形態について詳細に説明する。なお、以下に説明する実施の形態は、電子写真プロセスを用いた画像形成装置の感光体表面に静電潜像を形成するための半導体レーザ駆動装置に対して本発明を適用した場合の実施形態である。
【００２７】
［１．半導体レーザ駆動装置Ｓの構成及び機能概要］
先ず、本実施形態における半導体レーザ駆動装置Ｓの構成及び機能について説明する。
【００２８】
図１は、本実施形態における半導体レーザ駆動装置Ｓの概要構成の一例を示す図である。
【００２９】
図１に示すように、半導体レーザ駆動装置Ｓは、大別してＬＤ制御ＰＣＢ１と、ＡＳＩＣ２と、により構成されている。
【００３０】
ＬＤ制御ＰＣＢ１は、検出手段としてのＰＤ１１と、サンプルホールド回路１２と、基準電圧生成手段としての平滑回路１３と、比較回路１４と、駆動電流制御回路１５と、トランジスタ１６と、ＬＤ１７と、電流を制限する抵抗１８と、ボリウム１９と、により構成されている。
【００３１】
また、比較回路１４、駆動電流制御回路１５及びトランジスタ１６は本実施形態における制御手段を構成する。
【００３２】
ＰＤ１１は、ＬＤ１７から出力されたレーザビームを受光することによりその出力を検出し、受光量に応じた検出信号を出力する。
【００３３】
サンプルホールド回路１２は、ＰＤ１１から出力された検出信号の電圧をサンプルホールドしつつ、そのホールドした電圧を出力する。
【００３４】
平滑回路１３は、例えば、抵抗とコンデンサ等により構成されており、後述するＰＷＭ変調器２６から出力されたＰＷＭ信号を平滑してアナログ信号である基準電圧を生成する。ここで生成される基準電圧は、ＰＷＭ信号のデューティに相応した電圧となる。
【００３５】
比較回路１４は、平滑回路１３により生成された基準電圧と、サンプルホールド回路１２から出力された検出信号の電圧とを比較し、その結果を出力する。
【００３６】
駆動電流制御回路１５は、比較回路１４による比較結果に相応した電圧をトランジスタ１６に印加する。
【００３７】
具体的には、サンプルホールド回路１２の出力電圧が基準電圧よりも高い場合には、トランジスタ１６に印加する電圧を下げるように制御し、サンプルホールド回路１２の出力電圧が基準電圧よりも低い場合には、トランジスタ１６に印加する電圧を上げるように制御する。
【００３８】
トランジスタ１６は、そのエミッタが図示しない電源に、コレクタがＬＤ１７に、ベースが駆動電流制御回路１５に夫々接続されており、ベースに印加された電圧に応じて、エミッタから供給される電源電流の導通量を調節しつつ駆動電流としてコレクタから出力し、ＬＤ１７に供給する。
【００３９】
ＬＤ１７は、供給された駆動電流の大きさに応じた発光量のレーザビームを出力する。
【００４０】
ボリウム１９は、例えば、可変抵抗等により構成されており、人間の操作により分圧非を変更して、サンプルホールド回路１２及びＡ／Ｄコンバータ２１に入力される検出信号の電圧を適正レベルに調整するために備えられている。
【００４１】
つまり、工場、修理センター等の測定器具がある環境で、平滑回路１３から出力される基準電圧をある基準値（例えば、１ボルト）に保った状態で、ＬＤ１７から出力されるレーザビームの光量を測定しながら光量が基準値に達するようにボリウム１９を調整する。
【００４２】
これにより、サンプルホールド回路１２の出力電圧と平滑回路１３から出力される基準電圧が一致したとき（例えば、共に１ボルト）、ＬＤ１７から出力されるレーザビームの光量は、基準値を満たすことになる。
【００４３】
ＡＳＩＣ２は、アナログ／デジタル変換手段としてのＡ／Ｄコンバータ２１と、設定手段としての制御部２２と、基準値設定レジスタ２３と、比較手段としての比較演算回路２４と、ＰＷＭ設定レジスタ２５と、パルス幅変調信号出力手段としてのＰＷＭ変調器２６と、により構成されている。
【００４４】
Ａ／Ｄコンバータ２１は、ＰＤ１１から出力された検出信号から得られる値として、その電圧をデジタル値に変換する。
【００４５】
制御部２２は、例えば、ＣＰＵ（Central Processing Unit）、ＲＡＭ（Random Access Memory）、ＲＯＭ（Read Only Memory）等により構成されており、ＲＯＭ等に記憶されたプログラムをＣＰＵが読み出し実行することにより本実施形態における設定手段として機能するようになっている。
【００４６】
具体的には、ＲＯＭ等に、予め複数の印刷モード（例えば、標準モード、トナーセーブモード等）に夫々対応した基準電圧の理論値が基準値として記憶されており、画像形成装置の外部からの操作指示等の入力により現在の印刷モードが変更されると、制御部２２は、選択された印刷モードに対応した基準値を読み出し、基準値設定レジスタ２３に設定する。これにより、各印刷モードに応じてＬＤ１７の出力を変更することが可能となる。つまり、基準値設定レジスタ２３には、平滑回路１３から出力される基準電圧、例えば、基準電圧が１ボルトであれば、１ボルトに相当するデジタル値が前記制御部２２によりセットされる。また、基準値設定レジスタ２３にセットするデジタル値をモードにより変更すれば、平滑回路１３から出力される基準電圧も変化し、これにより、各印刷モードに応じてＬＤ１７の出力を変更することが可能となる（例えば、トナーセーブモードの場合には、標準モードよりも小さいデジタル値をセットすれば、トナーセーブモードの場合のＬＤ１７の出力は、標準モードの場合よりも小さくなる。）。
【００４７】
比較演算回路２４は、所定の時間間隔で、Ａ／Ｄコンバータ２１が入力した検出信号のデジタル値と、基準値設定レジスタ２３に設定された基準値とを比較し、設定値に等しい基準電圧が平滑回路１３により生成されるよう、比較結果に基づいてデューティ値を計算し、これをＰＷＭ設定レジスタ２５に設定する。
【００４８】
具体的に比較演算回路２４は、検出信号の電圧のデジタル値が、基準値よりも大きい場合には、デューティ値が小さくなるように計算し、基準値よりも小さい場合には、デューティ値が大きくなるように計算する。
【００４９】
ＰＷＭ変調器２６は、ＰＷＭ設定レジスタ２５に設定されたデューティ値を入力し、当該デューティ値に相応したパルス幅で、かつ電源電圧Ｖｃｃの振幅のＰＷＭ信号を生成し、図示しない出力バッファを介してＬＤ制御ＰＣＢに出力する。
【００５０】
［２．半導体レーザ駆動装置Ｓの動作］
次に、本実施形態における半導体レーザ駆動装置Ｓの動作について、先ず、その基本動作を説明し、次いで、具体的動作として電源電圧が変動した場合の動作を説明する。
【００５１】
［２．１  基本動作］
ＬＤ１７からレーザビームが出力されると、ＰＤ１１がこれを受光して、受光量に応じた検出信号を出力する。そして、この検出信号はサンプルホールド回路１２及びＡ／Ｄコンバータ２１に入力される。
【００５２】
サンプルホールド回路１２は、入力された検出信号の電圧をサンプルホールドしつつ、この電圧を出力する。
【００５３】
そして、比較回路１４において、サンプルホールド回路１２から出力された検出信号の電圧と、平滑回路１３から出力された基準電圧とを比較し、この比較結果に応じて駆動電流制御回路１５が、出力する電圧を調節してトランジスタ１６のベースに印加する。
【００５４】
次いで、トランジスタ１６のベースに供給されるベース電流応じて駆動電流の導通量が調節され、この調節された駆動電流に応じた光量のレーザビームがＬＤ１７から出力される。
【００５５】
比較回路１４による比較の結果、サンプルホールド回路１２の出力電圧が基準電圧よりも高い場合には、駆動電流制御回路１５が、トランジスタ１６に印加する電圧が下がるように制御する。そうすると、トランジスタ１６から出力される駆動電流が低減するため、ＬＤ１７によるレーザビームの発光量が減少する。
【００５６】
逆に、比較回路１４による比較の結果、サンプルホールド回路１２の出力電圧が基準電圧よりも低い場合には、駆動電流制御回路１５が、トランジスタ１６に印加する電圧が上がるように制御する。そうすると、トランジスタ１６から出力される駆動電流が増大するため、ＬＤ１７によるレーザビームの発光量が増大する。
【００５７】
このようにして、半導体レーザ駆動装置Ｓは、検出信号の電圧が基準電圧と等しくなるようにＬＤ１７の出力を調節する。
【００５８】
一方、検出信号を入力したＡ／Ｄコンバータ２１により、この信号の電圧をデジタル値に変換する。このときにＰＤ１１からの検出信号の電圧は、平滑回路１３から出力された基準電圧と同じ値をとる。つまり、駆動電流制御回路１５により、サンプルホールド回路１２の出力電圧は、平滑回路１３から出力された基準電圧と同じになるように制御されるからである。従って、Ａ／Ｄコンバータ２１により変換されたデジタル値は、平滑回路１３から出力された基準電圧を表している。
【００５９】
次いで、比較演算回路２４が、このデジタル値と、基準値設定レジスタ２３に設定された基準値（デジタル値）とを比較し、その結果に応じてデューティ値を計算し、ＰＷＭ設定レジスタ２５設定する。
【００６０】
そして、設定されたデューティ値でＰＷＭ変調器２６がＰＷＭ信号を出力し、この信号が平滑回路１３で平滑されて基準電圧が生成される。
【００６１】
つまり、検出信号の電圧のデジタル値が基準値設定レジスタ２３に設定された基準値（デジタル値）よりも大きい場合には、平滑回路１３から出力された基準電圧が高くなっているので、比較演算回路２４により、デューティ値が小さくなるように計算され、これによりＰＷＭ変調器２６が出力するＰＷＭ信号のデューティも小さくなり、そして、平滑回路１３により生成された基準電圧が低くなるように制御されて、所定の基準電圧、例えば、１ボルトとなる。
【００６２】
逆に、検出信号の電圧のデジタル値が基準値よりも小さい場合には、平滑回路１３から出力された基準電圧が低くなっているので、比較演算回路２４により、デューティ値が大きくなるように計算され、これによりＰＷＭ変調器２６が出力するＰＷＭ信号のデューティも大きくなり、そして、平滑回路１３により生成された基準電圧が高くなるように制御されて、所定の基準電圧、例えば、１ボルトとなる。
【００６３】
このようにして、半導体レーザ駆動装置Ｓは、検出信号の電圧のデジタル値が基準値と等しくなるように基準電圧を生成するので、平滑回路１３から出力された基準電圧が安定し、ＬＤ１７の出力も、製造工程等において調整を行った状態の出力の理論値で安定するのである。
【００６４】
［２．２  電源電圧が変動した場合の動作］
平滑回路１３から出力された基準電圧が変動した場合について、より詳しく説明する。
【００６５】
例えば、ＰＷＭ変調器２６に供給される電源電圧Ｖｃｃが適正値よりも高くなった場合には、その電源電圧Ｖｃｃに応じてＰＷＭ変調器２６から出力されるＰＷＭ信号の振幅が大きくなる。
【００６６】
そうすると、平滑回路１３において生成される基準電圧も上昇し、これにより、サンプルホールド回路１２から出力された検出信号の電圧が平滑回路１３から出力された基準電圧よりも低くなるため、駆動電流制御回路１５は、比較回路１４による比較結果に応じてトランジスタ１６のベース電流を増加させる。
【００６７】
従って、トランジスタ１６から出力される駆動電流が増大し、ＬＤ１７の出力光量も増大する。
【００６８】
そして、ＰＤ１１による受光量も増大するため、出力される検出信号の電圧も上昇し、サンプルホールド回路１２から出力される検出信号の電圧も上昇する。
【００６９】
このようにして、検出信号の電圧が基準電圧と等しくなるようにＬＤ１７の出力を増大させようとする。
【００７０】
その一方、電圧が増大した検出信号はＡ／Ｄコンバータ２１にも入力され、デジタル値に変換される。
【００７１】
比較演算回路２４において、Ａ／Ｄコンバータ２１により変換されたデジタル値と基準値設定レジスタ２３に設定されている基準値とを比較すると、変換されたデジタル値の方が大きくなっている。つまり、平滑回路１３から出力された基準電圧が高くなっている（例えば、基準電圧を１ボルトとすれば、それよりも高い電圧となっている）ので、従って、基準値、例えば、１ボルトに等しい基準電圧が生成されるよう（基準電圧が基準値まで下がるよう）、比較演算回路２４が比較結果に基づいてデューティ値を計算する。従って、そこで求められたデューティ値は、ＰＷＭ設定レジスタ２５に現在設定されているデューティ値よりも小さくなる。
【００７２】
計算により求められたデューティ値が新たにＰＷＭ設定レジスタ２５に設定されると、ＰＷＭ変調器２６により出力されるＰＷＭ信号のパルス幅は小さくなり、これを平滑回路１３で平滑した基準電圧は低くなるように、例えば、１ボルトになるように制御される。
【００７３】
つまり、ＰＷＭ変調器２６に供給される電源電圧Ｖｃｃが適正値よりも高くなった場合にでも、平滑回路１３から出力された基準電圧は、一定となり、安定する。従って、ＬＤ１７の出力が一時的に上昇しても、上昇した基準電圧を基準値までに下げるので、その結果、ＬＤ１７によるレーザビームの出力も適正な出力となる。
【００７４】
反対に、電源電圧Ｖｃｃが適正値よりも低くなった場合には、上記とは逆の動作を各部が行うことで、平滑回路１３から出力された基準電圧は、一定となり、安定する。従って、この場合も、ＬＤ１７によるレーザビームの出力は、基準値に相応した適正な出力となるのである。
【００７５】
以上説明したように、本実施形態によれば、ＬＤ１７から出力されたレーザビームをＰＤ１１が検出した検出信号の電圧と、基準値設定レジスタ２３に設定されている基準値とを比較演算回路２４が比較してデューティ値を決定し、このデューティ値でＰＷＭ変調器２６が出力したＰＷＭ信号を平滑回路１３が平滑して基準電圧を生成し、これを用いてフィードバック制御を行うようにしたので、電源電圧が変動等しても基準電圧が変動することなく、従って、常に適正なＬＤ１７の出力を得ることが可能となる。
【００７６】
また、比較演算回路２４は、ＰＤ１１から出力された検出信号から得られる値を基準値設定レジスタ２３に設定されている基準値と比較するようにしたので、比較回路１４、駆動電流制御回路１５、トランジスタ１６、ＬＤ１７及びＰＤ１１の正常性をＡＳＩＣ２により監視することが可能となる点において、平滑回路１３により生成された基準電圧の値を直接基準値と比較する場合よりも有利である。
【００７７】
なお、上述した実施形態においては、ＰＷＭ信号を平滑して基準電圧を生成していたが、これに限られるものではなく、他の方法により基準電圧を生成しても良い。
【００７８】
例えば、ＰＤ１１が検出した検出信号の電圧に応じて発振周波数が異なる発振器と、その発振器の出力を周波数／電圧変換するＦ／Ｖ変換器の組み合わせであってもよい。この場合、発振器の発振周波数はＡＳＩＣ２により制御される。
【００７９】
また、上述した実施形態においては、ＰＤ１１から出力された検出信号を直接Ａ／Ｄコンバータ２１によりデジタル値に変換し、このデジタル値と基準値設定レジスタ２３に設定されている基準値とを比較するようにしていたが、サンプルホールド回路１２から出力された検出信号をデジタル値に変換し、このデジタル値と基準値とを比較するようにしても良い。
【図面の簡単な説明】
【００８０】
【図１】本実施形態における半導体レーザ駆動装置Ｓの概要構成の一例を示す図である。
【図２】従来の半導体レーザ駆動装置における基準電圧生成部分の概要構成の一例を示すブロック図である。
【符号の説明】
【００８１】
１  ＬＤ制御ＰＣＢ
２  ＡＳＩＣ
１１  ＰＤ
１２  サンプルホールド回路
１３、３２  平滑回路
１４  比較回路
１５  駆動電流制御回路
１６  トランジスタ
１７  ＬＤ
１８  抵抗
１９  ボリウム
２１  Ａ／Ｄコンバータ
２２  基準値設定レジスタ
２３  制御部
２４  比較演算回路
２５  ＰＷＭ設定レジスタ
２６、３１  ＰＷＭ変調器
Ｓ  半導体レーザ駆動装置
【図１】
2007019397.tif 000003
【図２】
2007019397.tif 000004